(57)【要約】【課題】複数の通信装置での無線通信の干渉を低減することが可能な技術を提供する。【解決手段】通信システム１は、ＰＨＳ無線フレームを用いて無線通信を行うＰＨＳ基地局１０Ａと、ＬＴＥ無線フレームを用いて無線通信を行い、ＰＨＳ基地局１０Ａの周辺に位置するＬＴＥ基地局２０Ａと、制御装置５０とを備えている。制御装置５０は、ＰＨＳ無線フレームを用いて無線通信を行う、ＰＨＳ基地局１０Ａの周辺に位置するＰＨＳ基地局１０Ｂに対して、ＰＨＳ端末１１との通信でＬＴＥ無線フレームの周波数帯域を使用しないことを通知する。【選択図】図１
2016010106.tif 000002
【特許請求の範囲】
【請求項１】
第１無線フレームを用いて無線通信を行う第１通信装置と、
前記第１無線フレームとは構成が異なる第２無線フレームを用いて無線通信を行い、前記第１通信装置の周辺に位置する、あるいは当該第１通信装置と一体化された第２通信装置と、
制御装置と
を備え、
前記制御装置は、前記第１無線フレームを用いて無線通信を行う、前記第１通信装置の周辺に位置する第３通信装置に対して、通信相手装置との通信で前記第２無線フレームの周波数帯域を使用しないことを通知する、通信システム。
【請求項２】
請求項１に記載の通信システムであって、
前記第１通信装置は、前記第２無線フレームの周波数帯域を記憶し、当該周波数帯域を前記制御装置に通知する、通信システム。
【請求項３】
請求項１に記載の通信システムであって、
前記制御装置は、前記第２無線フレームの周波数帯域を記憶している、通信システム。
【請求項４】
請求項１乃至請求項３のいずれか一つに記載の通信システムであって、
前記第１通信装置は、前記第３通信装置から、当該第３通信装置を特定するための識別情報を受信し、当該識別情報を前記制御装置に送信し、
前記制御装置は、受信した前記識別情報によって特定される前記第３通信装置に対して、通信相手装置との通信で前記第２無線フレームの周波数帯域を使用しないことを通知する、通信システム。
【請求項５】
第１無線フレームを用いて無線通信を行う第１通信装置と、
前記第１無線フレームとは構成が異なる第２無線フレームを用いて無線通信を行い、前記第１通信装置の周辺に位置する、あるいは当該第１通信装置と一体化された第２通信装置と
を備え、
前記第１通信装置は、前記第１無線フレームを用いて無線通信を行う、当該第１通信装置の周辺に位置する第３通信装置に対して、通信相手装置との通信で前記第２無線フレームの周波数帯域を使用しないことを通知する、通信システム。
【請求項６】
請求項５に記載の通信システムであって、
前記第１通信装置は、前記第３通信装置から、当該第３通信装置を特定するための識別情報を受信し、
前記第１通信装置は、受信した前記識別情報によって特定される前記第３通信装置に対して、通信相手装置との通信で前記第２無線フレームの周波数帯域を使用しないことを通知する、通信システム。
【請求項７】
第１無線フレームを用いて無線通信を行う第１通信装置と、前記第１無線フレームとは構成が異なる第２無線フレームを用いて無線通信を行い、前記第１通信装置の周辺に位置する、あるいは当該第１通信装置と一体化された第２通信装置とを備える通信システムが有する制御装置であって、
前記第１無線フレームを用いて無線通信を行う、前記第１通信装置の周辺に位置する第３通信装置に対して、通信相手装置との通信で前記第２無線フレームの周波数帯域を使用しないことを通知する通信部を備える、制御装置。
【請求項８】
第１無線フレームを用いて無線通信を行う第１通信装置と、前記第１無線フレームとは構成が異なる第２無線フレームを用いて無線通信を行い、前記第１通信装置の周辺に位置する、あるいは当該第１通信装置と一体化された第２通信装置と、制御装置とを備える通信システムでの当該第１通信装置として機能する通信装置であって、
前記第２無線フレームの周波数帯域を記憶する記憶部と、
前記第２無線フレームの周波数帯域を前記制御装置に通知する通信部と
を備え、
前記制御装置は、前記第１無線フレームを用いて無線通信を行う、前記通信装置の周辺に位置する第３通信装置に対して、通信相手装置との通信において、前記通信部から通知された前記第２無線フレームの周波数帯域を使用しないことを通知する、通信装置。
【請求項９】
第１無線フレームを用いて無線通信を行う第１通信装置と、前記第１無線フレームとは構成が異なる第２無線フレームを用いて無線通信を行い、前記第１通信装置の周辺に位置する、あるいは当該第１通信装置と一体化された第２通信装置とを備える通信システムでの当該第１通信装置として機能する通信装置であって、
前記第１無線フレームを用いて無線通信を行う、前記通信装置の周辺に位置する第３通信装置に対して、通信相手装置との通信で前記第２無線フレームの周波数帯域を使用しないことを通知する通信部を備える、通信装置。
【請求項１０】
第１無線フレームを用いて無線通信を行う第１通信装置と、前記第１無線フレームとは構成が異なる第２無線フレームを用いて無線通信を行い、前記第１通信装置の周辺に位置する、あるいは当該第１通信装置と一体化された第２通信装置と、制御装置とを備える通信システムにおける当該制御装置での通信方法であって、
前記第１無線フレームを用いて無線通信を行う、前記第１通信装置の周辺に位置する第３通信装置に対して、通信相手装置との通信で前記第２無線フレームの周波数帯域を使用しないことを通知する工程を備える、通信方法。
【請求項１１】
第１無線フレームを用いて無線通信を行う第１通信装置と、前記第１無線フレームとは構成が異なる第２無線フレームを用いて無線通信を行い、前記第１通信装置の周辺に位置する、あるいは当該第１通信装置と一体化された第２通信装置とを備える通信システムにおける当該第１通信装置での通信方法であって、
前記第１無線フレームを用いて無線通信を行う、当該第１通信装置の周辺に位置する第３通信装置に対して、通信相手装置との通信で前記第２無線フレームの周波数帯域を使用しないことを通知する工程を備える、通信方法。
【発明の詳細な説明】
【技術分野】
【０００１】
本発明は、無線通信技術に関する。
【背景技術】
【０００２】
従来から無線通信技術に関して様々な技術が提案されている。例えば非特許文献１には、ＰＨＳ（Personal Handyphone System）に関する技術が開示されている。また非特許文献２には、ＴＤ−ＬＴＥ（Long Term Evolution）に関する技術が開示されている。
【先行技術文献】
【非特許文献】
【０００３】
【非特許文献１】「第二世代コードレス電話システム 標準規格」、RCR STD-28 6.0版、平成２３年３月２８日、社会法人電波産業会
【非特許文献２】3GPPTM TS 36.211 V12.1.0, 3rd Generation Partnership Project; Technical Specification Group Radio Access Network; Evolved Universal Terrestrial Radio Access (E-UTRA); Physical channels and modulation (Release 12) 、２０１４年３月
【発明の概要】
【発明が解決しようとする課題】
【０００４】
例えば、ＴＤ−ＬＴＥに属する基地局が無線通信で使用する周波数帯域において、ＰＨＳに属する基地局が無線通信を行う場合には、ＰＨＳに属する基地局での無線通信と、ＴＤ−ＬＴＥに属する基地局での無線通信とは互いに干渉する可能性がある。
【０００５】
そこで、本発明は上述の点に鑑みて成されたものであり、複数の通信装置での無線通信の干渉を低減することが可能な技術を提供することを目的とする。
【課題を解決するための手段】
【０００６】
上記課題を解決するため、本発明に係る通信システムの一態様は、第１無線フレームを用いて無線通信を行う第１通信装置と、前記第１無線フレームとは構成が異なる第２無線フレームを用いて無線通信を行い、前記第１通信装置の周辺に位置する、あるいは当該第１通信装置と一体化された第２通信装置と、制御装置とを備え、前記制御装置は、前記第１無線フレームを用いて無線通信を行う、前記第１通信装置の周辺に位置する第３通信装置に対して、通信相手装置との通信で前記第２無線フレームの周波数帯域を使用しないことを通知する。
【０００７】
また、本発明に係る通信システムの一態様では、前記第１通信装置は、前記第２無線フレームの周波数帯域を記憶し、当該周波数帯域を前記制御装置に通知する。
【０００８】
また、本発明に係る通信システムの一態様では、前記制御装置は、前記第２無線フレームの周波数帯域を記憶している。
【０００９】
また、本発明に係る通信システムの一態様では、前記第１通信装置は、前記第３通信装置から、当該第３通信装置を特定するための識別情報を受信し、当該識別情報を前記制御装置に送信し、前記制御装置は、受信した前記識別情報によって特定される前記第３通信装置に対して、通信相手装置との通信で前記第２無線フレームの周波数帯域を使用しないことを通知する。
【００１０】
また、本発明に係る通信システムの一態様は、第１無線フレームを用いて無線通信を行う第１通信装置と、前記第１無線フレームとは構成が異なる第２無線フレームを用いて無線通信を行い、前記第１通信装置の周辺に位置する、あるいは当該第１通信装置と一体化された第２通信装置とを備え、前記第１通信装置は、前記第１無線フレームを用いて無線通信を行う、当該第１通信装置の周辺に位置する第３通信装置に対して、通信相手装置との通信で前記第２無線フレームの周波数帯域を使用しないことを通知する。
【００１１】
また、本発明に係る通信システムの一態様では、前記第１通信装置は、前記第３通信装置から、当該第３通信装置を特定するための識別情報を受信し、前記第１通信装置は、受信した前記識別情報によって特定される前記第３通信装置に対して、通信相手装置との通信で前記第２無線フレームの周波数帯域を使用しないことを通知する。
【００１２】
また、本発明に係る制御装置の一態様は、第１無線フレームを用いて無線通信を行う第１通信装置と、前記第１無線フレームとは構成が異なる第２無線フレームを用いて無線通信を行い、前記第１通信装置の周辺に位置する、あるいは当該第１通信装置と一体化された第２通信装置とを備える通信システムが有する制御装置であって、前記第１無線フレームを用いて無線通信を行う、前記第１通信装置の周辺に位置する第３通信装置に対して、通信相手装置との通信で前記第２無線フレームの周波数帯域を使用しないことを通知する通信部を備える。
【００１３】
また、本発明に係る通信装置の一態様は、第１無線フレームを用いて無線通信を行う第１通信装置と、前記第１無線フレームとは構成が異なる第２無線フレームを用いて無線通信を行い、前記第１通信装置の周辺に位置する、あるいは当該第１通信装置と一体化された第２通信装置と、制御装置とを備える通信システムでの当該第１通信装置として機能する通信装置であって、前記第２無線フレームの周波数帯域を記憶する記憶部と、前記第２無線フレームの周波数帯域を前記制御装置に通知する通信部とを備え、前記制御装置は、前記第１無線フレームを用いて無線通信を行う、前記通信装置の周辺に位置する第３通信装置に対して、通信相手装置との通信において、前記通信部から通知された前記第２無線フレームの周波数帯域を使用しないことを通知する。
【００１４】
また、本発明に係る通信装置の一態様は、第１無線フレームを用いて無線通信を行う第１通信装置と、前記第１無線フレームとは構成が異なる第２無線フレームを用いて無線通信を行い、前記第１通信装置の周辺に位置する、あるいは当該第１通信装置と一体化された第２通信装置とを備える通信システムでの当該第１通信装置として機能する通信装置であって、前記第１無線フレームを用いて無線通信を行う、前記通信装置の周辺に位置する第３通信装置に対して、通信相手装置との通信で前記第２無線フレームの周波数帯域を使用しないことを通知する通信部を備える。
【００１５】
また、本発明に係る通信方法の一態様は、第１無線フレームを用いて無線通信を行う第１通信装置と、前記第１無線フレームとは構成が異なる第２無線フレームを用いて無線通信を行い、前記第１通信装置の周辺に位置する、あるいは当該第１通信装置と一体化された第２通信装置と、制御装置とを備える通信システムにおける当該制御装置での通信方法であって、前記第１無線フレームを用いて無線通信を行う、前記第１通信装置の周辺に位置する第３通信装置に対して、通信相手装置との通信で前記第２無線フレームの周波数帯域を使用しないことを通知する工程を備える。
【００１６】
また、本発明に係る通信方法の一態様は、第１無線フレームを用いて無線通信を行う第１通信装置と、前記第１無線フレームとは構成が異なる第２無線フレームを用いて無線通信を行い、前記第１通信装置の周辺に位置する、あるいは当該第１通信装置と一体化された第２通信装置とを備える通信システムにおける当該第１通信装置での通信方法であって、前記第１無線フレームを用いて無線通信を行う、当該第１通信装置の周辺に位置する第３通信装置に対して、通信相手装置との通信で前記第２無線フレームの周波数帯域を使用しないことを通知する工程を備える。
【発明の効果】
【００１７】
本発明の一態様によれば、第１及び第２通信装置での無線通信の干渉を低減することができる。
【図面の簡単な説明】
【００１８】
【図１】通信システムの構成を示す図である。
【図２】ＰＨＳ基地局の構成を示す図である。
【図３】ＬＴＥ基地局の構成を示す図である。
【図４】ＰＨＳ端末の構成を示す図である。
【図５】ＬＴＥ端末の構成を示す図である。
【図６】センター装置の構成を示す図である。
【図７】通信システムの動作を示すフローチャートである。
【図８】通信システムの変形例の動作を示すフローチャートである。
【図９】通信システムの変形例の動作を示すフローチャートである。
【図１０】通信システムの変形例の構成を示す図である。
【図１１】デュアル基地局の構成を示す図である。
【発明を実施するための形態】
【００１９】
＜通信システムの構成＞
図１は実施の形態に係る通信システム１の構成を示す図である。本実施の形態に係る通信システム１では、複数種類の通信システムが共存している。例えば通信システム１では、ＰＨＳ及びＴＤ−ＬＴＥが共存している。
【００２０】
通信システム１は、複数の基地局と、複数の通信端末と、センター装置５０とを備えている。通信端末は「移動局」とも呼ばれる。各基地局とセンター装置５０とはネットワーク６０を通じて接続されている。センター装置５０は各基地局を制御する。以後、センター装置５０を「制御装置５０」と呼ぶことがある。複数の基地局には、ＰＨＳに属する基地局１０と、ＴＤ−ＬＴＥに属する基地局２０とが含まれている。複数の通信端末には、ＰＨＳに属する基地局１０と通信する通信端末１１と、ＬＴＥに属する基地局２０と通信する通信端末２１とが含まれている。
【００２１】
ＰＨＳでは、複信方式としてＴＤＤ（Time Division Duplexing）方式が採用され、多元接続方式としてＴＤＭＡ（Time Division Multiple Access）方式が採用されている。
【００２２】
ＴＤ−ＬＴＥでは、複信方式としてＴＤＤ方式が採用されている。またＴＤ−ＬＴＥでは、多元接続方式として、下り通信ではＯＦＤＭＡ（Orthogonal Frequency Division Multiple Access）方式が採用され、上り通信ではＳＣ−ＦＤＭＡ（Single Carrier-Frequency Division Multiple Access）方式が採用されている。ＯＦＤＭＡ方式では、互いに直交する複数のサブキャリアが合成されたＯＦＤＭ（Orthogonal Frequency Division Multiplexing）信号が使用される。
【００２３】
以後、「ＬＴＥ」と言えば、ＴＤ−ＬＴＥを意味する。また、ＰＨＳに属する基地局を「ＰＨＳ基地局」と呼び、ＬＴＥに属する基地局を「ＬＴＥ基地局」と呼ぶ。そして、ＰＨＳ基地局と通信する通信端末を「ＰＨＳ端末」と呼び、ＬＴＥ基地局と通信する通信端末を「ＬＴＥ端末」と呼ぶ。
【００２４】
ＰＨＳで使用される無線フレーム（以後、「ＰＨＳ無線フレーム」と呼ぶ）の構成と、ＬＴＥで使用される無線フレーム（以後、「ＬＴＥ無線フレーム」と呼ぶ）の構成とは互いに異なっている。ＰＨＳ無線フレームは、時間方向に４つのスロットを含む下りフレームと、時間方向に４つのスロットを含む上りフレームとで構成されている。各スロットの長さは６２５μｓであり、ＰＨＳ無線フレームの時間長は５ｍｓとなっている。一方で、ＬＴＥ無線フレームは、１０個のサブフレームで構成されている。この１０個のサブフレームは、下り通信専用のサブフレームと、上り通信専用のサブフレームと、下り通信から上り通信への切り替えが行われるサブフレーム（「スペシャルサブフレーム」と呼ばれる）とを含む。各サブフレームの時間長は１ｍｓであって、ＬＴＥ無線フレームの時間長は１０ｍｓとなっている。
【００２５】
本実施の形態に係る通信システム１には、図１に示されるように、ＬＴＥ基地局２０の周辺に位置するＰＨＳ基地局１０が存在している。当該ＰＨＳ基地局１０を「ＬＴＥ周辺ＰＨＳ基地局１０Ａ」と呼び、その周辺のＬＴＥ基地局２０を「ＬＴＥ基地局２０Ａ」と呼ぶ。本実施の形態では、ＬＴＥ周辺ＰＨＳ基地局１０Ａは、ＬＴＥ基地局２０Ａのすぐ近くに、つまり近接して存在している。ＬＴＥ周辺ＰＨＳ基地局１０Ａは、ＬＴＥ基地局２０Ａからの信号を受信可能な位置に存在する。
【００２６】
ＬＴＥ周辺ＰＨＳ基地局１０Ａの周辺には、複数のＰＨＳ基地局１０が存在する。当該ＰＨＳ基地局１０を「周辺ＰＨＳ基地局１０Ｂ」と呼ぶ。図１の例では、ＬＴＥ周辺ＰＨＳ基地局１０Ａの周辺には５つの周辺ＰＨＳ基地局１０Ｂが存在する。ＬＴＥ周辺ＰＨＳ基地局１０Ａのサービスエリア（通信エリア）１５０と、各周辺ＰＨＳ基地局１０Ｂのサービスエリア１５０とは部分的に重複している。なお、ＬＴＥ周辺ＰＨＳ基地局１０Ａの周辺に存在しないＰＨＳ基地局１０、つまり、ＬＴＥ周辺ＰＨＳ基地局１０Ａとサービスエリア１５０が重ならないＰＨＳ基地局１０を「遠方ＰＨＳ基地局１０Ｃ」と呼ぶことがある。
【００２７】
＜基地局の構成＞
図２及び図３は、ＰＨＳ基地局１０及びＬＴＥ基地局２０の構成をそれぞれ示すブロック図である。図２に示されるように、ＰＨＳ基地局１０は、アンテナ１００ａを有する無線通信部１００と、制御部１０１と、ネットワーク通信部１０２とを備えている。
【００２８】
制御部１０１は、ＰＨＳ基地局１０の動作を統括的に管理する。制御部１０１は、ＣＰＵ（Central Processing Unit）及びＤＳＰ（Digital Signal Processor）を備えており、無線通信部１００及びネットワーク通信部１０２を制御する。制御部１０１は、さらに、ＲＯＭ（Read Only Memory）及びＲＡＭ（Random Access Memory）等で構成された、プログラム等を記憶する記憶部１０１ａを備えている。制御部１０１の各種機能は、ＣＰＵ及びＤＳＰが記憶部１０１ａ内の各種プログラムを実行することによって実現される。
【００２９】
無線通信部１００は、ＰＨＳ端末１１からの無線信号をアンテナ１００ａで受信する。無線通信部１００は、アンテナ１００ａでの受信信号に対して増幅処理及びダウンコンバートを行って制御部１０１に出力する。制御部１０１は、入力される受信信号に対して復調処理等を行って、当該受信信号に含まれる、ユーザデータ及び制御データなどを取得する。また無線通信部１００は、制御部１０１で生成された、ユーザデータ及び制御データ等を含む送信信号に対してアップコンバート及び増幅処理を行って、処理後の送信信号をアンテナ１００ａから無線送信する。
【００３０】
ネットワーク通信部１０２は、ネットワーク６０と接続されている。ネットワーク通信部１０２は、ネットワーク６０からの信号を受信して制御部１０１に入力する。またネットワーク通信部１０２は、制御部１０１が生成した、ネットワーク６０に送信する送信信号を、当該ネットワーク６０に送信する。ネットワーク通信部２０２は、ネットワーク６０を通じてセンター装置５０と通信可能である。
【００３１】
ＬＴＥ基地局２０は、図３に示されるように、アンテナ２００ａを有する無線通信部２００と、制御部２０１と、ネットワーク通信部２０２とを備えている。
【００３２】
制御部２０１は、ＬＴＥ基地局２０の動作を統括的に管理する。制御部２０１は、ＣＰＵ及びＤＳＰを備えており、無線通信部２００及びネットワーク通信部２０２を制御する。制御部２０１は、さらに、ＲＯＭ及びＲＡＭ等で構成された、プログラム等を記憶する記憶部２０１ａを備えている。制御部２０１の各種機能は、ＣＰＵ及びＤＳＰが記憶部２０１ａ内の各種プログラムを実行することによって実現される。
【００３３】
無線通信部２００は、ＬＴＥ端末２１からの無線信号をアンテナ２００ａで受信する。無線通信部２００は、アンテナ２００ａでの受信信号に対して増幅処理及びダウンコンバートを行って制御部２０１に出力する。制御部２０１は、入力される受信信号に対して復調処理等を行って、当該受信信号に含まれる、ユーザデータ及び制御データなどを取得する。また無線通信部２００は、制御部２０１で生成された、ユーザデータ及び制御データ等を含む送信信号に対してアップコンバート及び増幅処理を行って、処理後の送信信号をアンテナ２００ａから無線送信する。
【００３４】
ネットワーク通信部２０２は、ネットワーク６０と接続されている。ネットワーク通信部２０２は、ネットワーク６０からの信号を受信して制御部２０１に入力する。またネットワーク通信部２０２は、制御部２０１が生成した、ネットワーク６０に送信する送信信号を、当該ネットワークに送信する。ネットワーク通信部２０２は、ネットワーク６０を通じてセンター装置５０と通信可能である。
【００３５】
＜通信端末の構成＞
図４及び図５は、ＰＨＳ端末１１及びＬＴＥ端末２１の構成をそれぞれ示すブロック図である。図４に示されるように、ＰＨＳ端末１１は、アンテナ１１０ａを有する無線通信部１１０と、制御部１１１と、表示部１１２と、マイク１１３と、スピーカ１１４とを備えている。
【００３６】
制御部１１１は、ＰＨＳ端末１１の動作を統括的に管理する。制御部１１１は、ＣＰＵ及びＤＳＰ備えており、無線通信部１１０等の他の構成要素を制御する。制御部１１１は、さらに、ＲＯＭ及びＲＡＭ等で構成された、プログラム等を記憶する記憶部１１１ａを備えている。制御部１１１の各種機能は、ＣＰＵ及びＤＳＰが記憶部１１１ａ内の各種プログラムを実行することによって実現される。
【００３７】
無線通信部１１０は、ＰＨＳ基地局１０からの無線信号をアンテナ１１０ａで受信する。無線通信部１１０は、アンテナ１１０ａでの受信信号に対して増幅処理及びダウンコンバートを行って制御部１１１に出力する。制御部１１１は、入力される受信信号に対して復調処理等を行って、当該受信信号に含まれる、ユーザデータ及び制御データなどを取得する。また無線通信部１１０は、制御部１１１で生成された、ユーザデータ及び制御データ等を含む送信信号に対してアップコンバート及び増幅処理を行って、処理後の送信信号をアンテナ１１０ａから無線送信する。
【００３８】
表示部１１２は、例えば、液晶表示部あるいは有機ＥＬパネルである。表示部１１２は、制御部１１１によって制御されることによって、文字、記号、図形などの各種情報を表示する。マイク１１３は、ＰＨＳ端末１１の外部から入力される音を電気的な音信号に変換して制御部１１１に出力する。スピーカ１１４は、制御部１１１からの電気的な音信号を音に変換して、ＰＨＳ端末１１の外部に出力する。
【００３９】
ＬＴＥ端末２１は、図５に示されるように、アンテナ２１０ａを有する無線通信部２１０と、制御部２１１と、表示部２１２と、マイク２１３と、スピーカ２１４とを備えている。
【００４０】
制御部２１１は、ＬＴＥ端末２１の動作を統括的に管理する。制御部２１１は、ＣＰＵ及びＤＳＰを備えており、無線通信部２１０等の他の構成要素を制御する。制御部２１１は、さらに、ＲＯＭ及びＲＡＭ等で構成された、プログラム等を記憶する記憶部２１１ａを備えている。制御部２１１の各種機能は、ＣＰＵ及びＤＳＰが記憶部２１１ａ内の各種プログラムを実行することによって実現される。
【００４１】
無線通信部２１０は、ＬＴＥ基地局２０からの無線信号をアンテナ２１０ａで受信する。無線通信部２１０は、アンテナ２１０ａでの受信信号に対して増幅処理及びダウンコンバートを行って制御部２１１に出力する。制御部２１１は、入力される受信信号に対して復調処理等を行って、当該受信信号に含まれる、ユーザデータ及び制御データなどを取得する。また無線通信部２１０は、制御部２１１で生成された、ユーザデータ及び制御データ等を含む送信信号に対してアップコンバート及び増幅処理を行って、処理後の送信信号をアンテナ２１０ａから無線送信する。
【００４２】
表示部２１２は、例えば、液晶表示部あるいは有機ＥＬパネルである。表示部２１２は、制御部２１１によって制御されることによって、文字、記号、図形などの各種情報を表示する。マイク２１３は、ＬＴＥ端末２１の外部から入力される音を電気的な音信号に変換して制御部２１１に出力する。スピーカ２１４は、制御部２１１からの電気的な音信号を音に変換して、ＬＴＥ端末２１の外部に出力する。
【００４３】
＜センター装置の構成＞
図６はセンター装置５０の構成を示す図である。センター装置５０は、例えば、一般的なコンピュータ装置と同様の構成を有している。図６に示されるように、センター装置５０は、ネットワーク６０を通信するネットワーク通信部５００と、制御部５０１と、表示部５０２と、操作部５０３とを備えている。
【００４４】
制御部５０１は、センター装置５０の動作を統括的に管理する。制御部５０１は、ＣＰＵ及びＤＳＰを備えており、ネットワーク通信部５００等の他の構成要素を制御する。制御部５０１は、さらに、ＲＯＭ及びＲＡＭ等で構成された、プログラム等を記憶する記憶部５０１ａを備えている。制御部５０１の各種機能は、ＣＰＵ及びＤＳＰが記憶部５０１ａ内の各種プログラムを実行することによって実現される。
【００４５】
ネットワーク通信部５００は、ネットワーク６０と接続されている。ネットワーク通信部５００は、ネットワーク６０からの信号を受信して制御部５０１に入力する。またネットワーク通信部５００は、制御部５０１が生成した、ネットワーク６０に送信する送信信号を、当該ネットワーク６０に送信する。ネットワーク通信部５００は、ネットワーク６０を通じてＰＨＳ基地局１０及びＬＴＥ基地局２０と通信可能である。
【００４６】
表示部５０２は、例えば、液晶表示部あるいは有機ＥＬパネルである。表示部５０２は、制御部５０１によって制御されることによって、文字、記号、図形などの各種情報を表示する。操作部５０３は、例えばキーボード及びマウス等で構成されており、ユーザ入力を受け付ける。ユーザは操作部５０３を操作することによって、センター装置５０に対して各種情報を入力することができる。
【００４７】
＜ＰＨＳ及びＬＴＥでの周波数帯域について＞
本実施の形態では、ＰＨＳ基地局１０が属するＰＨＳでの利用可能帯域は、例えば、屋外公衆用の周波数帯域、つまり１８８４．５ＭＨｚ〜１９１５．７ＭＨｚとなっている。一方で、ＬＴＥ基地局２０が属するＬＴＥでの利用可能帯域は、例えば、バンド３９、つまり１８８０ＭＨｚ〜１９２０ＭＨｚとなっている。ＬＴＥでの利用可能帯域は“operating band”と呼ばれる。以後、ＰＨＳでの利用可能帯域及びＬＴＥでの利用可能帯域をそれぞれ「ＰＨＳ利用可能帯域」及び「ＬＴＥ利用可能帯域」と呼ぶ。
【００４８】
ＬＴＥでは、ＬＴＥ基地局がＬＴＥ端末との通信に使用可能な複数種類の帯域幅が定められている。本実施の形態のように、ＬＴＥにおいてバンド３９の利用可能帯域が使用される場合には、ＬＴＥ基地局は、５ＭＨｚ、１０ＭＨｚ、１５ＭＨｚ及び２０ＭＨｚのいずれか一つの帯域幅を使用帯域幅として使用する。５ＭＨｚ、１０ＭＨｚ、１５ＭＨｚ及び２０ＭＨｚの実効帯域幅は、それぞれ、４．５ＭＨｚ、９ＭＨｚ、１３．５ＭＨｚ及び１８ＭＨｚとなっている。
【００４９】
ＬＴＥ基地局２０は、ＬＴＥ利用可能帯域のうち、使用帯域幅の周波数帯域を使用してＬＴＥ端末２１と通信を行う。つまり、ＬＴＥ基地局２０は、ＬＴＥ利用可能帯域の一部を使用してＬＴＥ端末２１と通信を行う。以後、ＬＴＥ基地局２０が使用する周波数帯域を「ＬＴＥ使用帯域」と呼ぶ。ＬＴＥ基地局２０が使用するＬＴＥ無線フレームの周波数帯域はＬＴＥ使用帯域となる。
【００５０】
また、本実施の形態では、ＰＨＳ基地局１０は、ＰＨＳ利用可能帯域の全領域、あるいはＰＨＳ利用可能帯域の一部を使用してＰＨＳ端末１１と通信する。以後、ＰＨＳ基地局１０が使用する周波数帯域を「ＰＨＳ使用帯域」と呼ぶ。ＰＨＳ基地局１０が使用するＰＨＳ無線フレームの周波数帯域はＰＨＳ使用帯域となる。
【００５１】
＜ＰＨＳ基地局及びＬＴＥ基地局での無線通信の干渉について＞
ＬＴＥ基地局２０Ａが無線通信で使用するＬＴＥ使用帯域において、その周辺に位置するＬＴＥ周辺ＰＨＳ基地局１０Ａが無線通信を行う場合には、ＬＴＥ基地局２０Ａでの無線通信と、ＬＴＥ周辺ＰＨＳ基地局１０Ａでの無線通信とは互いに干渉する可能性がある。
【００５２】
そこで、本実施の形態では、ＬＴＥ周辺ＰＨＳ基地局１０ＡのＰＨＳ使用帯域は、ＰＨＳ利用可能帯域から、ＬＴＥ基地局２０ＡのＬＴＥ使用帯域を含まないように設定される。つまり、ＬＴＥ周辺ＰＨＳ基地局１０ＡのＰＨＳ使用帯域は、ＰＨＳ利用可能帯域のうち、ＬＴＥ基地局２０ＡのＬＴＥ使用帯域以外の周波数帯域が設定される。
【００５３】
例えば、ＬＴＥ基地局２０Ａが新たに設置される際には、ＬＴＥ基地局２０Ａの周辺のＬＴＥ周辺ＰＨＳ基地局１０Ａに保守端末が接続される。作業員は保守端末を操作することによって、当該保守端末に対して、ＬＴＥ基地局２０ＡのＬＴＥ使用帯域を入力する。保守端末は、入力されたＬＴＥ使用帯域をＬＴＥ周辺ＰＨＳ基地局１０Ａに入力する。ＬＴＥ周辺ＰＨＳ基地局１０Ａは、保守端末から入力されたＬＴＥ使用帯域を制御部１０１の記憶部１０１ａに記憶する。そして、ＬＴＥ周辺ＰＨＳ基地局１０Ａの制御部１０１は、記憶部１０１ａに記憶されるＬＴＥ使用帯域を含まないようにＰＨＳ使用帯域を決定する。これにより、ＬＴＥ基地局２０ＡのＬＴＥ使用帯域において、その周辺に位置するＬＴＥ周辺ＰＨＳ基地局１０Ａが無線通信を行うことが抑制される。その結果、ＬＴＥ基地局２０Ａでの無線通信と、ＬＴＥ周辺ＰＨＳ基地局１０Ａでの無線通信とが互いに干渉することを抑制できる。
【００５４】
本実施の形態では、ＬＴＥ基地局２０ＡのＬＴＥ使用帯域は、例えば、ＰＨＳ利用可能帯域のうち、上側半分（高周波数側の半分）の周波数帯域に含まれるものとする。以後、ＰＨＳ利用可能帯域のうち、上側半分の周波数帯域を「ＰＨＳ上側帯域」と呼ぶ。そして、ＰＨＳ利用可能帯域のうち、下側半分（低周波数側の半分）の周波数帯域を「ＰＨＳ下側帯域」と呼ぶ。ＬＴＥ周辺ＰＨＳ基地局１０ＡのＰＨＳ使用帯域は、例えばＰＨＳ下側帯域に設定される。
【００５５】
また、ＬＴＥ周辺ＰＨＳ基地局１０Ａの周辺に位置する周辺ＰＨＳ基地局１０Ｂは、ＬＴＥ基地局２０Ａの周辺に位置する可能性が高い。したがって、ＬＴＥ基地局２０Ａが無線通信で使用するＬＴＥ使用帯域において、周辺ＰＨＳ基地局１０Ｂが無線通信を行う場合には、ＬＴＥ基地局２０Ａでの無線通信と、周辺ＰＨＳ基地局１０Ｂでの無線通信とは互いに干渉する可能性がある。
【００５６】
そこで、本実施の形態では、周辺ＰＨＳ基地局１０ＢのＰＨＳ使用帯域についても、ＰＨＳ利用可能帯域から、ＬＴＥ基地局２０ＡのＬＴＥ使用帯域を含まないように設定される。以下に、周辺ＰＨＳ基地局１０ＢがＰＨＳ使用帯域を決定する際の通信システム１の動作について説明する。図７は当該動作を示すフローチャートである。図７には、ＬＴＥ基地局２０Ａが新たに設置される際の通信システム１の動作が示されている。
【００５７】
ＬＴＥ基地局２０Ａが新たに設置される際には、上述のように、ＬＴＥ周辺ＰＨＳ基地局１０Ａには保守端末が接続され、当該保守端末からＬＴＥ周辺ＰＨＳ基地局１０ＡにＬＴＥ使用帯域が入力される。また保守端末は、作業員の操作に応じて、セルサーチの実行指示をＬＴＥ周辺ＰＨＳ基地局１０Ａに通知する。図７に示されるように、ステップｓ１において、ＬＴＥ周辺ＰＨＳ基地局１０Ａは、セルサーチ実行指示を受けると、ステップｓ２において、セルサーチを実行する。各ＰＨＳ基地局１０は、定期的に、自装置を特定するための識別情報であるＣＳ−ＩＤを無線通信部１００から送信する。ＬＴＥ周辺ＰＨＳ基地局１０Ａは、周辺ＰＨＳ基地局１０Ｂが送信するＣＳ−ＩＤを無線通信部１００で受信するセルサーチを実行する。
【００５８】
次にステップｓ３において、ＬＴＥ周辺ＰＨＳ基地局１０Ａは、セルサーチの結果取得した各周辺ＰＨＳ基地局１０ＢのＣＳ−ＩＤと、記憶部１０１ａが記憶するＬＴＥ使用帯域とを、無線通信部１００からセンター装置５０に通知する。
【００５９】
次にステップｓ４において、センター装置５０は、通知された各ＣＳ−ＩＤで特定される周辺ＰＨＳ基地局１０Ｂに対して、通知されたＬＴＥ使用帯域を使用しないことを通知する。具体的には、センター装置５０は、通知された各ＣＳ−ＩＤで特定される周辺ＰＨＳ基地局１０Ｂに対して、ＬＴＥ使用帯域を使用しないことを示す情報を含むシステムパラメータをネットワーク通信部５００から通知する。
【００６０】
次にステップｓ５において、センター装置５０からシステムパラメータが通知された各周辺ＰＨＳ基地局１０Ｂは、当該システムパラメータに基づいて、ＬＴＥ使用帯域が含まれないようにＰＨＳ使用帯域を決定する。本実施の形態では、各周辺ＰＨＳ基地局１０Ｂは、ＰＨＳ下側帯域をＰＨＳ使用帯域に設定する。その後、ステップｓ６において、新たに設置されたＬＴＥ基地局２０Ａが起動する。
【００６１】
なお、遠方ＰＨＳ基地局１０Ｃでの無線通信は、ＬＴＥ周辺ＰＨＳ基地局１０Ａ及びＬＴＥ基地局２０Ａでの無線通信からの干渉を受けにくいことから、遠方ＰＨＳ基地局１０ＣでのＰＨＳ使用帯域は、例えば、ＰＨＳ利用可能帯域の全領域に設定される。
【００６２】
このように、本実施の形態では、ＰＨＳ基地局１０を制御する制御装置５０（センター装置５０）が、周辺ＰＨＳ基地局１０Ｂに対して、ＬＴＥ基地局２０Ａが使用するＬＴＥ使用帯域（ＬＴＥ無線フレームの周波数帯域）を使用しないことを通知するため、周辺ＰＨＳ基地局１０Ｂは、ＰＨＳ端末１１との通信にＬＴＥ使用帯域を使用しないようになる。したがって、ＬＴＥ周辺ＰＨＳ基地局１０Ａの周辺に位置する周辺ＰＨＳ基地局１０Ｂでの無線通信と、当該ＬＴＥ周辺ＰＨＳ基地局１０Ａの周辺に位置するＬＴＥ基地局２０Ｂでの無線通信とが干渉することを抑制することができる。
【００６３】
なお、周辺ＰＨＳ基地局１０Ｂが新たに設置された場合に、上述のステップｓ２〜ｓ５が実行されることによって、新たに設置された周辺ＰＨＳ基地局１０Ｂにおいても、ＰＨＳ端末１１との通信にＬＴＥ使用帯域が使用されないようになる。よって、新たに設置された周辺ＰＨＳ基地局１０ＢとＬＴＥ基地局２０Ａでの無線通信に干渉が生じることを抑制することができる。
【００６４】
また上記の図７には、すでに設置されているＰＨＳ基地局１０の周囲にＬＴＥ基地局２０が新たに設置される場合における通信システム１の動作が示されているが、すでに設置されているＬＴＥ基地局２０の周囲にＰＨＳ基地局１０が新たに設置される場合においても、上述のステップｓ２〜ｓ５が実行されることによって、新たに設置されたＰＨＳ基地局１０の周辺のＰＨＳ基地局１０での無線通信と、当該新たに設置されたＰＨＳ基地局１０の周辺のＬＴＥ基地局２０での無線通信とに干渉が生じることを抑制することができる。
【００６５】
＜各種変形例＞
以下に通信システム１の各種変形例について説明する。
【００６６】
＜第１変形例＞
上記の例では、ＬＴＥ周辺ＰＨＳ基地局１０ＡがＬＴＥ基地局２０ＡのＬＴＥ使用帯域を記憶していたが、ＬＴＥ周辺ＰＨＳ基地局１０ＡがＬＴＥ基地局２０ＡのＬＴＥ使用帯域を記憶せずに、センター装置５０が当該ＬＴＥ使用帯域を記憶しても良い。以下のこの場合の通信システム１の動作について図８を参照して説明する。図８には、上述の図７と同様に、ＬＴＥ基地局２０Ａが新たに設置される際の本変形例に係る通信システム１の動作が示されている。
【００６７】
図８に示されるように、ステップｓ１１において、上述のステップｓ１と同様に、ＬＴＥ周辺ＰＨＳ基地局１０Ａは、セルサーチ実行指示を受けると、ステップｓ１２において、セルサーチを実行する。
【００６８】
次にステップｓ１３において、ＬＴＥ周辺ＰＨＳ基地局１０Ａは、セルサーチの結果取得した各周辺ＰＨＳ基地局１０ＢのＣＳ−ＩＤと、自身のＣＳ−ＩＤとをセンター装置５０に通知する。以後、ＬＴＥ周辺ＰＨＳ基地局１０ＡのＣＳ−ＩＤを「第１ＣＳ−ＩＤ」と呼び、周辺ＰＨＳ基地局１０ＢのＣＳ−ＩＤを「第２ＣＳ−ＩＤ」と呼ぶことがある。
【００６９】
次にステップｓ１４において、センター装置５０では、制御部５０１が、通知された第１ＣＳ−ＩＤで特定されるＬＴＥ周辺ＰＨＳ基地局１０Ａの周辺に位置するＬＴＥ基地局２０ＡのＬＴＥ使用帯域を記憶部５０１ａから読み出す。記憶部５０１ａには、ＬＴＥ基地局２０の周辺に位置するＰＨＳ基地局１０のＣＳ−ＩＤと、当該ＬＴＥ基地局２０のＬＴＥ使用帯域とが互いに対応付けて記憶されている。制御部５０１は、記憶部５０１ａから、通知された第１ＣＳ−ＩＤに対応付けられているＬＴＥ使用帯域を読み出す。そして、センター装置５０は、通知された各第２ＣＳ−ＩＤで特定される周辺ＰＨＳ基地局１０Ｂに対して、制御部５０１が記憶部５０１ａから読み出したＬＴＥ使用帯域を使用しないことを通知する。具体的には、センター装置５０は、通知された各第２ＣＳ−ＩＤで特定される周辺ＰＨＳ基地局１０Ｂに対して、ＬＴＥ使用帯域を使用しないことを示す情報を含むシステムパラメータをネットワーク通信部５００から通知する。
【００７０】
次にステップｓ１５において、センター装置５０からシステムパラメータが通知された各周辺ＰＨＳ基地局１０Ｂは、当該システムパラメータに基づいて、ＬＴＥ使用帯域が含まれないようにＰＨＳ使用帯域を決定する。その後、ステップｓ１６において、新たに設置されたＬＴＥ基地局２０Ａが起動する。
【００７１】
このように、本変形例においても、ＰＨＳ基地局１０を制御する制御装置５０が、周辺ＰＨＳ基地局１０Ｂに対して、ＬＴＥ基地局２０Ａが使用するＬＴＥ使用帯域を使用しないことを通知するため、周辺ＰＨＳ基地局１０Ｂは、ＰＨＳ端末１１との通信にＬＴＥ使用帯域を使用しない。したがって、ＬＴＥ周辺ＰＨＳ基地局１０Ａの周辺に位置する周辺ＰＨＳ基地局１０Ｂでの無線通信と、当該ＬＴＥ周辺ＰＨＳ基地局１０Ａの周辺に位置するＬＴＥ基地局２０Ｂでの無線通信とが干渉することを抑制することができる。
【００７２】
なお、本変形例においても、周辺ＰＨＳ基地局１０Ｂが新たに設置された場合に、上述のステップｓ１２〜ｓ１５が実行されることによって、新たに設置された周辺ＰＨＳ基地局１０Ｂにおいても、ＰＨＳ端末１１との通信にＬＴＥ使用帯域が使用されないようになる。
【００７３】
また、本変形例においても、すでに設置されているＬＴＥ基地局２０の周囲にＰＨＳ基地局１０が新たに設置される場合において、上述のステップｓ１２〜ｓ１５が実行されることによって、新たに設置されたＰＨＳ基地局１０の周辺のＰＨＳ基地局１０での無線通信と、当該新たに設置されたＰＨＳ基地局１０の周辺のＬＴＥ基地局２０での無線通信とに干渉が生じることを抑制することができる。
【００７４】
＜第２変形例＞
上記の例では、ＬＴＥ基地局２０ＡのＬＴＥ使用帯域を使用しないことは、センター装置５０から周辺ＰＨＳ基地局１０Ｂに対して通知されていたが、ＬＴＥ周辺ＰＨＳ基地局１０Ａから周辺ＰＨＳ基地局１０Ｂに対して直接通知されても良い。図９はこの場合の通信システム１の動作を示すフローチャートである。図９には、上述の図７，８と同様に、ＬＴＥ基地局２０Ａが新たに設置される際の本変形例に係る通信システム１の動作が示されている。本変形では、ＬＴＥ周辺ＰＨＳ基地局１０Ａは、ＬＴＥ基地局２０ＡのＬＴＥ使用帯域を記憶部１０１ａに記憶している。
【００７５】
図９に示されるように、ステップｓ２１において、上述のステップｓ１と同様に、ＬＴＥ周辺ＰＨＳ基地局１０Ａは、セルサーチ実行指示を受けると、ステップｓ２２において、セルサーチを実行する。
【００７６】
次にステップｓ２３において、ＬＴＥ周辺ＰＨＳ基地局１０Ａは、セルサーチの結果取得した各ＣＳ−ＩＤで特定される周辺ＰＨＳ基地局１０Ｂに対して、記憶部１０１ａに記憶されている、ＬＴＥ基地局２０ＡのＬＴＥ使用帯域を使用しないことを通知する。具体的には、ＬＴＥ周辺ＰＨＳ基地局１０Ａは、各周辺ＰＨＳ基地局１０Ｂに対して、ＬＴＥ基地局２０ＡのＬＴＥ使用帯域を使用しないことを通知する通信情報を含む送信信号を無線通信部１００から送信する。
【００７７】
次にステップｓ２４において、ＬＴＥ周辺ＰＨＳ基地局１０Ａから、ＬＴＥ基地局２０ＡのＬＴＥ使用帯域を使用しないことが通知された各周辺ＰＨＳ基地局１０Ｂは、当該ＬＴＥ使用帯域が含まれないようにＰＨＳ使用帯域を決定する。その後、ステップｓ２５において、新たに設置されたＬＴＥ基地局２０Ａが起動する。
【００７８】
このように、本変形例では、ＬＴＥ基地局２０Ａの周辺のＬＴＥ周辺ＰＨＳ基地局１０Ａが、その周辺の周辺ＰＨＳ基地局１０Ｂに対して、ＬＴＥ基地局２０ＡのＬＴＥ使用帯域を使用しないことを通知するため、周辺ＰＨＳ基地局１０Ｂは、ＰＨＳ端末１１との通信に当該ＬＴＥ使用帯域を使用しない。したがって、ＬＴＥ周辺ＰＨＳ基地局１０Ａの周辺に位置する周辺ＰＨＳ基地局１０Ｂでの無線通信と、当該ＬＴＥ周辺ＰＨＳ基地局１０Ａの周辺に位置するＬＴＥ基地局２０Ｂでの無線通信とが干渉することを抑制することができる。
【００７９】
なお、本変形例においても、周辺ＰＨＳ基地局１０Ｂが新たに設置された場合に、上述のステップｓ２２〜ｓ２４が実行されることによって、新たに設置された周辺ＰＨＳ基地局１０Ｂにおいても、ＰＨＳ端末１１との通信にＬＴＥ使用帯域が使用されないようになる。
【００８０】
また、本変形例においても、すでに設置されているＬＴＥ基地局２０の周囲にＰＨＳ基地局１０が新たに設置される場合に、上述のステップｓ２２〜ｓ２４が実行されることによって、新たに設置されたＰＨＳ基地局１０の周辺のＰＨＳ基地局１０での無線通信と、当該新たに設置されたＰＨＳ基地局１０の周辺のＬＴＥ基地局２０での無線通信とに干渉が生じることを抑制することができる。
【００８１】
＜第３変形例＞
上記の通信システム１において、ＬＴＥ周辺ＰＨＳ基地局１０Ａ及びＬＴＥ基地局２０Ａの替りに、図１０に示されるように、ＰＨＳ基地局１０とＬＴＥ基地局２０とが一体化されたデュアル基地局３０を設けても良い。以後、デュアル基地局３０のＰＨＳ基地局１０及びＬＴＥ基地局２０をそれぞれ「ＰＨＳ基地局１０Ａ１」及び「ＬＴＥ基地局２０Ａ１」と呼ぶ。
【００８２】
図１１はデュアル基地局３０の構成を示す図である。図１１に示されるように、デュアル基地局３０は、ＰＨＳ無線フレームを用いて無線通信を行う無線通信部３００と、ＬＴＥ無線フレームを用いて無線通信を行う無線通信部３０１と、制御部３０２と、ネットワーク通信部３０３とを備えている。デュアル基地局３０では、無線通信部３００、制御部３０２及びネットワーク通信部３０３でＰＨＳ基地局１０Ａ１を構成し、無線通信部３０１、制御部３０２及びネットワーク通信部３０３でＬＴＥ基地局２０Ａ１を構成する。ＰＨＳ基地局１０ＡとＬＴＥ基地局２０Ａ１とが一体化されて、一つの無線通信装置が構成されている。無線通信部３００，３０１、制御部３０２及びネットワーク通信部３０３は、一つの筐体（図示せず）に収納されている。
【００８３】
制御部３０２は、デュアル基地局３０の動作を統括的に管理する。制御部３０２は、ＣＰＵ及びＤＳＰを備えており、無線通信部３００，３０１及びネットワーク通信部３０３を制御する。制御部３０２は、さらに、ＲＯＭ及びＲＡＭ等で構成された、プログラム等を記憶する記憶部３０２ａを備えている。制御部３０２の各種機能は、ＣＰＵ及びＤＳＰが記憶部３０２ａ内の各種プログラムを実行することによって実現される。
【００８４】
無線通信部３００は、アンテナ３００ａを有している。無線通信部３００は、ＰＨＳ端末１１からの無線信号をアンテナ３００ａで受信する。無線通信部３００は、アンテナ３００ａでの受信信号に対して増幅処理及びダウンコンバートを行って制御部３０２に出力する。制御部３０２は、無線通信部３００から入力される受信信号に対して復調処理等を行って、当該受信信号に含まれる、ユーザデータ及び制御データなどを取得する。また無線通信部３００は、制御部３０２で生成された、ユーザデータ及び制御データ等を含む送信する送信信号に対してアップコンバート及び増幅処理を行って、処理後の送信信号をアンテナ３００ａから無線送信する。
【００８５】
無線通信部３０１は、アンテナ３０１ａを有している。無線通信部３０１は、ＬＴＥ端末２１からの無線信号をアンテナ３０１ａで受信する。無線通信部３０１は、アンテナ３０１ａでの受信信号に対して増幅処理及びダウンコンバートを行って制御部３０２に出力する。制御部３０２は、無線通信部３０１から入力される受信信号に対して復調処理等を行って、当該受信信号に含まれる、ユーザデータ及び制御データなどを取得する。また無線通信部３０１は、制御部３０２で生成された、ユーザデータ及び制御データ等を含む送信信号に対してアップコンバート及び増幅処理を行って、処理後の送信信号をアンテナ３０１ａから無線送信する。
【００８６】
ネットワーク通信部３０３は、ネットワーク６０と接続されている。ネットワーク通信部３０３は、ネットワーク６０からの信号を受信して制御部３０２に入力する。またネットワーク通信部３０３は、制御部３０２が生成した、ネットワーク６０に送信する送信信号を、当該ネットワーク６０に送信する。ネットワーク通信部３０３は、ネットワーク６０を通じてセンター装置５０と通信可能である。
【００８７】
このような構成を有するデュアル基地局３０では、ＰＨＳ基地局１０Ａ１が上述のＬＴＥ周辺ＰＨＳ基地局１０Ａと同様に動作し、ＬＴＥ基地局２０Ａ１が上述のＬＴＥ基地局２０Ａと同様に動作する。したがって、ＰＨＳ基地局１０Ａ１の周辺に位置する周辺ＰＨＳ基地局１０Ｂ（デュアル基地局３０の周辺に位置する周辺ＰＨＳ基地局１０Ｂ）での無線通信と、ＬＴＥ基地局２０Ａ１での無線通信とが干渉することを抑制することができる。
【００８８】
なお、本変形例に係るデュアル基地局３０においては、ＬＴＥ無線フレームを用いて通信を行う無線通信部３０１を制御する制御部３０２は、ＬＴＥ基地局２０Ａ１のＬＴＥ使用帯域を認識している。したがって、上記の例とは異なり、保守端末を使用してＬＴＥ基地局２０Ａ１のＬＴＥ使用帯域をデュアル基地局３０に入力する必要はない。
【００８９】
また、上述の第１及び第２変形例に係る通信システム１においても、ＬＴＥ周辺ＰＨＳ基地局１０Ａ及びＬＴＥ基地局２０Ｂの替りに、ＰＨＳ基地局１０とＬＴＥ基地局２０とが一体化されたデュアル基地局３０を設けても良い。
【００９０】
上記の各種例では、本願発明を、ＰＨＳ基地局１０及びＬＴＥ基地局２０を備える通信システム１に適用する場合については説明したが、本願発明は他の通信システムにも適用することができる。
【００９１】
以上のように、通信システム１は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００９２】
１  通信システム
１０，１０Ａ，１０Ａ１，１０Ｂ  ＰＨＳ基地局
２０，２０Ａ，２０Ａ１  ＬＴＥ基地局
５０  センター装置（制御装置）
１０１ａ，３０２ａ，５０１ａ  記憶部
１００，３００  無線通信部
５００  ネットワーク通信部
【図１】
2016010106.tif 000003
【図２】
2016010106.tif 000004
【図３】
2016010106.tif 000005
【図４】
2016010106.tif 000006
【図５】
2016010106.tif 000007
【図６】
2016010106.tif 000008
【図７】
2016010106.tif 000009
【図８】
2016010106.tif 000010
【図９】
2016010106.tif 000011
【図１０】
2016010106.tif 000012
【図１１】
2016010106.tif 000013